(57)【要約】  【課題】  バックライト装置における光学シートの係止孔を、輸送中にキズやコスレを発生することなく、しかもピンに挿通する際の作業性を損なうことなく、かつ光学シートの熱膨張にも対応可能な形状にする。  【解決手段】  垂直方向に支持された浅底の箱状筐体の内部に光源を配置するとともに、前記筐体の前面の四隅にピン１２〜１５を突設してピン１２〜１５に拡散板および光学シート１１を係止したバックライト装置において、光学シート１１の四隅に形成された係止孔１６〜１９の外径をピン１２〜１５の外径と略同一にするとともに、係止孔１６〜１９の外側に切れ目を形成する。この切れ目は、光学シート１１の熱膨張方向と平行に係止孔１６〜１９の両側に形成する。【選択図】  図１
2005242270.tif 000002
【特許請求の範囲】
【請求項１】
垂直方向に支持された浅底の箱状筐体の内部に光源を配置するとともに、前記筐体の前面の少なくとも四隅にピンを突設して該ピンに拡散板および光学シートを係止したバックライト装置において、
前記光学シートの少なくとも四隅に形成された係止孔の内径を前記ピンの外径と略同一にするとともに、前記係止孔の外側に切れ目を形成したことを特徴とするバックライト装置。
【請求項２】
垂直方向に支持された浅底の箱状筐体の内部に光源を配置するとともに、前記筐体の前面の少なくとも四隅にピンを突設して該ピンに拡散板および光学シートを係止したバックライト装置において、
前記光学シートの少なくとも四隅に形成された係止孔の内径を前記ピンの外径と略同一にするとともに、前記光学シートの熱膨張方向と平行な切れ目を前記係止孔の両側に形成したことを特徴とするバックライト装置。
【請求項３】
垂直方向に支持された浅底の箱状筐体の内部に光源を配置するとともに、前記筐体の前面の少なくとも四隅にピンを突設して該ピンに拡散板および光学シートを係止したバックライト装置において、
前記光学シートの少なくとも四隅に形成された係止孔の内径を前記ピンの外径と略同一にするとともに、前記係止孔の外側に放射状に３個以上の切れ目を形成したことを特徴とするバックライト装置。
【請求項４】
垂直方向に支持された浅底の箱状筐体の内部に光源を配置するとともに、前記筐体の前面の少なくとも四隅にピンを突設して該ピンに拡散板および光学シートを係止したバックライト装置において、
前記光学シートの少なくとも四隅に形成された係止孔の内径を前記ピンの外径と略同一にするとともに、前記係止孔の外側にＸ字状に４個の切れ目を形成したことを特徴とするバックライト装置。
【請求項５】
垂直方向に支持された浅底の箱状筐体の内部に光源を配置するとともに、前記筐体の前面の少なくとも四隅にピンを突設して該ピンに拡散板および光学シートを係止したバックライト装置において、
前記光学シートの少なくとも四隅に形成された係止孔を前記ピンの外径が内接する菱形にするとともに、前記菱形の長い方の対角線を前記光学シートの熱膨張方向と平行にしたことを特徴とするバックライト装置。
【請求項６】
垂直方向に支持された浅底の箱状筐体の内部に光源を配置するとともに、前記筐体の前面の少なくとも四隅にピンを突設して該ピンに拡散板および光学シートを係止したバックライト装置において、
前記光学シートの少なくとも四隅に形成された係止孔の内径を前記ピンの外径と略同一にするとともに、前記係止孔のうちの１個を基準係止孔とし、他の係止孔の中心と前記基準係止孔の中心を結ぶ線分上およびその延長線上となる前記他の係止孔の両側に、切れ目を形成したことを特徴とするバックライト装置。
【発明の詳細な説明】
【技術分野】
【０００１】
本発明は、液晶テレビ等の光源として用いられるバックライト装置に関し、詳しくはバックライト装置を構成する光学シートをピンに係止する支持構造において、光学シートに形成された係止孔のガタを少なくすることにより、係止孔のガタのために発生していたキズやコスレを発生しないようにしたバックライト装置に関する。
【背景技術】
【０００２】
従来、液晶テレビ等の液晶表示装置に用いられるバックライト装置は、光源である蛍光ランプの前方にアクリル板等からなる拡散板を配置しその前面にＩＴＯシート、拡散フィルム、プリズムシート、反射偏光フィルム等の光学シートが配置されている。特に、バックライト装置の照射面が垂直に支持される場合は、拡散板の端部が当接する反射板ベースプレートの当接面の四隅にピンを突設して、同様に四隅に孔を形成した拡散板、各光学シートをそのピンに係止し、拡散板、光学シートをその自重で吊り下げた状態で保持していた。
【０００３】
図５および図６に示されるように、光学シート１の四隅に形成された係止孔２は、従来、光学シートにピン３を挿入して係止する際の作業性や、光学シート１の熱膨張による位置ずれを考慮して、ピン３の外径よりも大きい横長のカブセル形状に形成されていた。なお、光学シートの取り付けの従来技術としては、特許文献１がある。
【特許文献１】特開平１１−２８１９６６号公報
【発明の開示】
【発明が解決しようとする課題】
【０００４】
このように、従来は、光学シートにピンの外径よりも大きい係止孔が形成されていたため、バックライト装置が組み込まれた液晶テレビ等の製品の輸送中に発生する振動により、係止孔部分にキズやコスレを発生していた。そこで、本発明は、輸送中にキズやコスレを発生することなく、しかもピンに挿通する際の作業性を損なうことなく、かつ光学シートの熱膨張にも対応可能な形状にした光学シートの係止孔を備えたバックライト装置を提案することを目的とした。
【課題を解決するための手段】
【０００５】
上記課題を解決するために、本発明は、垂直方向に支持された浅底の箱状筐体の内部に光源を配置するとともに、前記筐体の前面の少なくとも四隅にピンを突設して該ピンに拡散板および光学シートを係止したバックライト装置において、前記光学シートの少なくとも四隅に形成された係止孔の内径を前記ピンの外径と略同一にするとともに、前記係止孔の外側に切れ目を形成する。
【０００６】
また、本発明は、垂直方向に支持された浅底の箱状筐体の内部に光源を配置するとともに、前記筐体の前面の少なくとも四隅にピンを突設して該ピンに拡散板および光学シートを係止したバックライト装置において、前記光学シートの少なくとも四隅に形成された係止孔の内径を前記ピンの外径と略同一にするとともに、前記光学シートの熱膨張方向と平行な切れ目を前記係止孔の両側に形成する。
【０００７】
また、本発明は、垂直方向に支持された浅底の箱状筐体の内部に光源を配置するとともに、前記筐体の前面の少なくとも四隅にピンを突設して該ピンに拡散板および光学シートを係止したバックライト装置において、前記光学シートの少なくとも四隅に形成された係止孔の内径を前記ピンの外径と略同一にするとともに、前記係止孔の外側に放射状に３個以上の切れ目を形成する。
【０００８】
また、本発明は、垂直方向に支持された浅底の箱状筐体の内部に光源を配置するとともに、前記筐体の前面の少なくとも四隅にピンを突設して該ピンに拡散板および光学シートを係止したバックライト装置において、前記光学シートの少なくとも四隅に形成された係止孔の内径を前記ピンの外径と略同一にするとともに、前記係止孔の外側にＸ字状に４個の切れ目を形成する。
【０００９】
また、本発明は、垂直方向に支持された浅底の箱状筐体の内部に光源を配置するとともに、前記筐体の前面の少なくとも四隅にピンを突設して該ピンに拡散板および光学シートを係止したバックライト装置において、前記光学シートの少なくとも四隅に形成された係止孔を前記ピンの外径が内接する菱形にするとともに、前記菱形の長い方の対角線を前記光学シートの熱膨張方向と平行にする。
【００１０】
また、本発明は、垂直方向に支持された浅底の箱状筐体の内部に光源を配置するとともに、前記筐体の前面の少なくとも四隅にピンを突設して該ピンに拡散板および光学シートを係止したバックライト装置において、
前記光学シートの少なくとも四隅に形成された係止孔の内径を前記ピンの外径と略同一にするとともに、前記係止孔のうちの１個を基準係止孔とし、他の係止孔の中心と前記基準係止孔の中心を結ぶ線分上およびその延長線上となる前記他の係止孔の両側に、切れ目を形成する。
【発明の効果】
【００１１】
以上述べたように本発明によれば、光学シートの少なくとも四隅に形成された係止孔の内径を係止されるピンの外径と略同一にするとともに、係止孔の外側に切れ目を形成したことで、組立工程で光学シートにピンを挿通する場合は、切れ目が拡開されるため作業性が損なわれることがない。また、光学シートがピンに係止されている状態では、ガタがないため輸送中に振動が加えられてもキズやコスレを発生することが解消される。さらに、バックライト装置の点灯中に加熱されて光学シートが膨張してもその膨張分だけ切れ目が拡開されて膨張が吸収される。
【発明を実施するための最良の形態】
【００１２】
以下、図に基づいて本発明の実施形態を説明する。
図１は本発明に係るバックライト装置の光学シートの係止部分の第１の実施形態を示す正面図である。図示されるように、光学シート１１の四隅には、バックライト装置の筐体（図示せず）側に突設された係止用のピン１２〜１５に対応して係止孔１６〜１９が形成されている。係止孔１６〜１９の径はピン１２〜１５の外径と略同じに形成されており、係止孔１６〜１９にピン１２〜１５を挿入した場合に隙間がない状態となる。また、係止孔１６〜１９にはそれぞれ両側に切れ目が形成されており、この切れ目の方向は、係止孔１６，１７では水平方向であり、係止孔１８，１９では内側に傾いた斜め方向である。
【００１３】
この切れ目の方向について言及すると、バックライト装置の点灯により雰囲気温度が上昇すると、膨張率の違いによりピン１２〜１５が突設されている筐体（図示せず）に対して光学シート１１が相対的に膨張する。その膨張時の基準点を、ピン１２，１３の中間の位置とすると、その位置を中心とする放射線上を各係止孔１６〜１９は膨張して移動していくことになる。その結果、各係止孔１６〜１９では、その放射線上に切れ目を形成しておくことで、熱膨張時にその切れ目に沿って、ピン１２〜１５が相対的に移動し、その移動が各切れ目の端を若干めくり上げることで吸収され、係止孔１６〜１９そのものに過大な荷重を与えることが回避される。
【００１４】
図２は本発明に係るバックライト装置の光学シートの係止部分の第２の実施形態を示す正面図である。図示されるように、光学シート２１の四隅には、バックライト装置の筐体（図示せず）側に突設された係止用のピン２２〜２５に対応して係止孔２６〜２９が形成されている。係止孔２６〜２９の径はピン２２〜２５の外径と略同じに形成されており、係止孔２６〜２９にピン２２〜２５を挿入した場合に隙間がない状態となる。また、係止孔２６〜２９にはＸ字状に４方向に切れ目が形成されている。
【００１５】
この実施形態の場合も、図１の場合と同じように、バックライト装置の点灯により雰囲気温度が上昇すると、膨張率の違いによりピン２２〜２５が突設されている筐体（図示せず）に対して光学シート２１が相対的に膨張する。その膨張時の基準点を、ピン２２，２３の中間の位置とすると、その位置を中心とする放射線上を各係止孔２６〜２９は膨張して移動していくことになる。その結果、各係止孔２６〜２９では、切れ目が形成されているため、熱膨張時にピン２２〜２５が相対的に基準点側に移動し、その移動が各切れ目の端を若干めくり上げることで吸収され、係止孔２６〜２９そのものに過大な荷重を与えることが回避される。
【００１６】
図３は本発明に係るバックライト装置の光学シートの係止部分の第３の実施形態を示す正面図である。図示されるように、光学シート３１の四隅には、バックライト装置の筐体（図示せず）側に突設された係止用のピン３２〜３５に対応して菱形をした係止孔３６〜３９が形成されている。係止孔３６〜３９の内側にピン３２〜５５の外径が内接するように形成されており、係止孔３６〜３９にピン３２〜３５を挿入した場合に隙間がない状態となる。また、菱形をした係止孔３６〜３９の長い方の対角線は、係止孔３６，３７では水平方向であり、係止孔３８，３９では内側に傾いた斜め方向である。
【００１７】
この菱形の長い方の対角線の方向について言及すると、バックライト装置の点灯により雰囲気温度が上昇すると、膨張率の違いによりピン３２〜３５が突設されている筐体（図示せず）に対して光学シート３１が相対的に膨張する。その膨張時の基準点を、ピン３２，３３の中間の位置とすると、その位置を中心とする放射線上を各係止孔３６〜３９は膨張して移動していくことになる。その結果、各係止孔３６〜３９では、その放射線上に菱形の長い方の対角線を配置しておくことで、熱膨張時にその長い方の対角線に沿って、ピン３２〜３５が相対的に移動し、その移動が各菱形の辺の一部を若干めくり上げることで吸収され、係止孔３６〜３９そのものに過大な荷重を与えることが回避される。
【００１８】
図４は本発明に係るバックライト装置の光学シートの係止部分の第４の実施形態を示す正面図である。図示されるように、光学シート４１の四隅には、バックライト装置の筐体（図示せず）側に突設された係止用のピン４２〜４５に対応して係止孔４６〜４９が形成されている。係止孔４６〜４９の径はピン４２〜４５の外径と略同じに形成されており、係止孔４６〜４９にピン４２〜４５を挿入した場合に隙間がない状態となる。また、係止孔４６を除く係止孔４７〜４９にはそれぞれ両側に切れ目が形成されており、この切れ目の方向は、係止孔４７では水平方向であり、係止孔４８では垂直方向であり、係止孔４９では内側に傾いた斜め方向である。
【００１９】
この切れ目の方向について言及すると、バックライト装置の点灯により雰囲気温度が上昇すると、膨張率の違いによりピン４２〜４５が突設されている筐体（図示せず）に対して光学シート４１が相対的に膨張する。その膨張時の基準点を、ピン４２の位置とすると、その位置を中心とする放射線（図中の破線矢印）上を各係止孔４７〜４９は膨張して移動していくことになる。その結果、各係止孔４７〜４９では、その放射線上に切れ目を形成しておくことで、熱膨張時にその切れ目に沿って、ピン４３〜４５が相対的に移動し、その移動が各切れ目の端を若干めくり上げることで吸収され、係止孔４６〜４９そのものに過大な荷重を与えることが回避される。
【００２０】
なお、上述の各実施形態では、筐体の前面四隅に係止用のピンが突設され、そこへ四隅に係止孔が形成された光学シートを係止する場合について説明したが、バックライト装置が大型化されることにより、ピンおよび係止孔を５個以上とする場合があり、その場合も同様に、係止孔に切れ目等を形成することで対応可能である。
【産業上の利用可能性】
【００２１】
本発明は、バックライト装置以外には、温度が変動する雰囲気中に光学シートを支持する構造を有する他の光学機器、装置に利用可能である。
【図面の簡単な説明】
【００２２】
【図１】本発明に係るバックライト装置の光学シートの係止部分の第１の実施形態を示す正面図である。
【図２】本発明に係るバックライト装置の光学シートの係止部分の第２の実施形態を示す正面図である。
【図３】本発明に係るバックライト装置の光学シートの係止部分の第３の実施形態を示す正面図である。
【図４】本発明に係るバックライト装置の光学シートの係止部分の第４の実施形態を示す正面図である。
【図５】従来例を示す図である。
【図６】従来例を示す図である。
【符号の説明】
【００２３】
１１  光学シート
１２〜１５  ピン
１６〜１９  係止孔
２１  光学シート
２２〜２５  ピン
２６〜２９  係止孔
３１  光学シート
３２〜３５  ピン
３６〜３９  係止孔
４１  光学シート
４２〜４５  ピン
４６〜４９  係止孔
【図１】
2005242270.tif 000003
【図２】
2005242270.tif 000004
【図３】
2005242270.tif 000005
【図４】
2005242270.tif 000006
【図５】
2005242270.tif 000007
【図６】
2005242270.tif 000008